(57)【要約】【課題】トレッド部に設けたサイプの形状を工夫することにより、ウエット性能を向上させることを可能にした空気入りタイヤを提供する。【解決手段】トレッド部１に、タイヤ周方向に延びる複数本の主溝９と、主溝９により区画された複数列のリブ１０とを備えた空気入りタイヤにおいて、複数列のリブ１０のうち少なくとも一つのリブ１０にタイヤ幅方向に延びる複数本のサイプ１１を有し、サイプ１１は少なくとも一方のエッジ１２ａ，１２ｂに面取り部１４を有する面取りサイプ１２とエッジに面取り部を有しない非面取りサイプ１３からなり、面取りサイプ１２はリブ１０内で一端部１２ｃが終端する一方で他端部１２ｄがリブ１０の両側に位置する主溝９の一方に連通し、リブ１０の両側に位置する主溝９のそれぞれに連通した面取りサイプ１２がタイヤ周方向に交互に配置され、非面取りサイプ１３は面取りサイプ１２の少なくともタイヤ周方向の片側に隣接して配置されている。【選択図】図２
2018111453.tif 000002
【特許請求の範囲】
【請求項１】
トレッド部に、タイヤ周方向に延びる複数本の主溝と、該主溝により区画された複数列のリブとを備えた空気入りタイヤにおいて、
前記複数列のリブのうち少なくとも一つのリブにタイヤ幅方向に延びる複数本のサイプを有し、該サイプは少なくとも一方のエッジに面取り部を有する面取りサイプとエッジに面取り部を有しない非面取りサイプからなり、前記面取りサイプは前記リブ内で一端部が終端する一方で他端部が前記リブの両側に位置する主溝のいずれか一方に連通し、該リブの両側に位置する主溝のそれぞれに連通した面取りサイプがタイヤ周方向に交互に配置され、前記非面取りサイプは前記面取りサイプの少なくともタイヤ周方向の片側に隣接して配置されていることを特徴とする空気入りタイヤ。
【請求項２】
前記非面取りサイプのうち前記面取りサイプに最も近接する非面取りサイプと前記面取りサイプとのタイヤ周方向の距離Ｌ１が２ｍｍ〜１５ｍｍであることを特徴とする請求項１に記載の空気入りタイヤ。
【請求項３】
前記面取りサイプの深さＣｄと前記非面取りサイプの深さＮｄとが１＜Ｎｄ／Ｃｄ≦１．５の関係を満たすことを特徴とする請求項１又は２に記載の空気入りタイヤ。
【請求項４】
前記面取りサイプのタイヤ周方向に対する傾斜角度θCと前記非面取りサイプのタイヤ周方向に対する傾斜角度θNとがθC−３０°≦θN≦θC＋３０°の関係を満たすことを特徴とする請求項１〜３のいずれかに記載の空気入りタイヤ。
【請求項５】
前記非面取りサイプが前記面取りサイプのタイヤ周方向の両側に配置されていることを特徴とする請求項１〜４のいずれかに記載の空気入りタイヤ。
【請求項６】
前記非面取りサイプの幅が底部から開口部に向かって徐々に広くなることを特徴とする請求項１〜５のいずれかに記載の空気入りタイヤ。
【請求項７】
前記面取りサイプの接地面での開口部の幅Ｃｗが１．６ｍｍ〜４．８ｍｍであることを特徴とする請求項１〜６のいずれかに記載の空気入りタイヤ。
【請求項８】
前記面取りサイプの延在方向に対して直交する断面視において前記面取り部の断面形状が矩形であることを特徴とする請求項１〜７のいずれかに記載の空気入りタイヤ。
【請求項９】
前記非面取りサイプが前記リブをタイヤ幅方向に貫通していることを特徴とする請求項１〜８のいずれかに記載の空気入りタイヤ。
【請求項１０】
トレッドプロファイルを成す円弧の曲率半径ＴＲと前記面取りサイプを有するリブの外輪郭線の曲率半径ＲＲとがＴＲ＞ＲＲの関係を満たすことを特徴とする請求項１〜９のいずれかに記載の空気入りタイヤ。
【発明の詳細な説明】
【技術分野】
【０００１】
本発明は、空気入りタイヤに関し、更に詳しくは、トレッド部に設けたサイプの形状を工夫することにより、ウエット性能を向上させることを可能にした空気入りタイヤに関する。
【背景技術】
【０００２】
一般に、空気入りタイヤのトレッド部にはウエット性能を得るために複数の溝やサイプが形成されている。ウエット路面でのタイヤ性能の指標である制動性能の向上のためには溝やサイプの排水性を向上させる必要がある。
【０００３】
そこで、排水性を向上させる手法として、トレッド部に設けたサイプのエッジに面取り部を設けることが提案されている（例えば、特許文献１）。この場合、面取り部が排水路として機能することで接地面の排水性が向上し、タイヤのウエット性能の向上が期待される。しかしながら、サイプに対して単に面取り部を付加した場合、接地時においてトレッド部の変形により面取り部が潰れてしまい、その面取り部が排水路として有効に機能せず、排水性を十分に確保することができない懸念がある。
【先行技術文献】
【特許文献】
【０００４】
【特許文献１】特開２０１６−８８４６９号公報
【発明の概要】
【発明が解決しようとする課題】
【０００５】
本発明の目的は、トレッド部に設けたサイプの形状を工夫することにより、ウエット性能を向上させることを可能にした空気入りタイヤを提供することにある。
【課題を解決するための手段】
【０００６】
上記目的を達成するための本発明の空気入りタイヤは、トレッド部に、タイヤ周方向に延びる複数本の主溝と、該主溝により区画された複数列のリブとを備えた空気入りタイヤにおいて、前記複数列のリブのうち少なくとも一つのリブにタイヤ幅方向に延びる複数本のサイプを有し、該サイプは少なくとも一方のエッジに面取り部を有する面取りサイプとエッジに面取り部を有しない非面取りサイプからなり、前記面取りサイプは前記リブ内で一端部が終端する一方で他端部が前記リブの両側に位置する主溝の一方に連通し、該リブの両側に位置する主溝のそれぞれに連通した面取りサイプがタイヤ周方向に交互に配置され、前記非面取りサイプは前記面取りサイプの少なくともタイヤ周方向の片側に隣接して配置されていることを特徴とするものである。
【発明の効果】
【０００７】
本発明では、複数列のリブのうち少なくとも一つのリブにタイヤ幅方向に延びる複数本のサイプを有し、該サイプは少なくとも一方のエッジに面取り部を有する面取りサイプとエッジに面取り部を有しない非面取りサイプから構成されていることにより、面取り部を設けた面取りサイプに起因して接地時の排水性を向上させることができ、ウエット性能の改善に繋がる。その一方で、面取り部を設けていない非面取りサイプが面取りサイプのタイヤ周方向に隣接して同じリブ内に併存していることにより、非面取りサイプが接地時におけるトレッド部の変形を負担し、面取りサイプにおける面取り部の潰れの抑制に寄与する。また、面取りサイプにおいて、その一端部がリブ内で終端する一方で他端部がリブの両側に位置する主溝のいずれか一方に連通し、該リブの両側に位置する主溝のそれぞれに連通した面取りサイプがタイヤ周方向に交互に配置されていることにより、面取りサイプ周辺において接地領域を広く確保することができ、面取りサイプの面取り部の潰れを効果的に抑制することが可能となる。これにより、ウエット性能を向上することができる。
【０００８】
本発明では、非面取りサイプのうち面取りサイプに最も近接する非面取りサイプと面取りサイプとのタイヤ周方向の距離Ｌ１は２ｍｍ〜１５ｍｍであることが好ましい。これにより、面取りサイプの面取り部の潰れを効果的に抑制することができる。
【０００９】
本発明では、面取りサイプの深さＣｄと非面取りサイプの深さＮｄとは１＜Ｎｄ／Ｃｄ≦１．５の関係を満たすことが好ましい。これにより、面取りサイプの面取り部の潰れを効果的に抑制することができる。
【００１０】
本発明では、面取りサイプのタイヤ周方向に対する傾斜角度θCと非面取りサイプのタイヤ周方向に対する傾斜角度θNとはθC−３０°≦θN≦θC＋３０°の関係を満たすことが好ましい。これにより、面取りサイプの面取り部の潰れを効果的に抑制することができる。
【００１１】
本発明では、非面取りサイプは面取りサイプのタイヤ周方向の両側に配置されていることが好ましい。これにより、面取りサイプの面取り部の潰れを効果的に抑制することができる。
【００１２】
本発明では、非面取りサイプの幅は底部から開口部に向かって徐々に広くなることが好ましい。これにより、面取りサイプの面取り部の潰れを効果的に負担することができる。
【００１３】
本発明では、面取りサイプの接地面での開口部の幅Ｃｗは１．６ｍｍ〜４．８ｍｍであることが好ましい。これにより、接地時での排水性を確保することができる。
【００１４】
本発明では、面取りサイプの延在方向に対して直交する断面視において面取り部の断面形状は矩形であることが好ましい。これにより、接地時でのトレッド部の変形に対して溝容積を十分に確保することができ、排水性を向上させることができる。
【００１５】
本発明では、非面取りサイプはリブをタイヤ幅方向に貫通していることが好ましい。これにより、面取りサイプの面取り部の潰れを効果的に抑制することができる。
【００１６】
本発明では、トレッドプロファイルを成す円弧の曲率半径ＴＲと面取りサイプを有するリブの外輪郭線の曲率半径ＲＲとはＴＲ＞ＲＲの関係を満たすことが好ましい。これにより、接地時におけるリブの排水性を向上させ、ウエット性能を効果的に改善することができる。
【００１７】
なお、本発明において、「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＬＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車である場合には１８０ｋＰａとする。
【図面の簡単な説明】
【００１８】
【図１】本発明の実施形態からなる空気入りタイヤを示す子午線断面図である。
【図２】本発明に係る空気入りタイヤのトレッド部の一部を示す斜視図である。
【図３】本発明に係る空気入りタイヤのトレッド部の一部を示す平面図である。
【図４】図３のＸ−Ｘ矢視断面図である。
【図５】本発明に係る空気入りタイヤのトレッド部に形成された非面取りサイプの変形例を示す断面図である。
【図６】本発明に係る空気入りタイヤのトレッド部に形成された面取りサイプ及び非面取りサイプの他の変形例を示す平面図である。
【図７】本発明に係る空気入りタイヤのトレッド部の他の変形例を示す断面図である。
【図８】本発明に係る空気入りタイヤのトレッド部に形成された面取りサイプの他の変形例を示し、（ａ）〜（ｄ）は各変形例の断面図である。
【図９】本発明に係る空気入りタイヤのトレッド部に形成された面取りサイプ及び非面取りサイプの他の変形例を示し、（ａ）〜（ｆ）は各変形例の平面図である。
【発明を実施するための形態】
【００１９】
以下、本発明の構成について添付の図面を参照しながら詳細に説明する。図１は本発明の実施形態からなる空気入りタイヤを示し、図２〜図４はその空気入りタイヤのトレッド部の一部を示すものである。なお、図１においてＣＬはタイヤ赤道線であり、図２，３においてＴｃはタイヤ周方向、Ｔｗはタイヤ幅方向である。
【００２０】
図１に示すように、本発明の実施形態からなる空気入りタイヤは、タイヤ周方向に延在して環状を成すトレッド部１と、該トレッド部１の両側に配置された一対のサイドウォール部２，２と、これらサイドウォール部２のタイヤ径方向内側に配置された一対のビード部３，３とを備えている。
【００２１】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００２２】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００２３】
また、トレッド部１にはタイヤ周方向に延びる複数本の主溝９が形成されており、これら主溝９によりトレッド部１には複数列のリブ１０が区画されている。図１の態様では、トレッド部１に３本の主溝９が形成された例を示しているが、排水性と接地面積の確保とを両立するために、トレッド部１には３〜５本の主溝９を設けることが好ましい。
【００２４】
なお、上述したタイヤ内部構造は空気入りタイヤにおける代表的な例を示すものであるが、これに限定されるものではない。
【００２５】
図２に示すように、リブ１０は、タイヤ幅方向に延びる複数本のサイプ１１と、複数本のサイプ１１により区画されたブロック２０とを含んでいる。これらブロック２０はタイヤ周方向に並ぶように配置されている。一方、サイプ１１は、面取りサイプ１２と非面取りサイプ１３から構成されている。サイプ１１は、リム組みしていない状態で溝幅が０．５ｍｍ〜１．６ｍｍかつ深さが２．０ｍｍ以上の細溝である。
【００２６】
面取りサイプ１２は、図３に示すように、少なくとも一方のエッジ１２ａ，１２ｂに面取り部１４を有するサイプである。この面取り部１４は、図２及び図３の態様では面取りサイプ１２の全長に渡って片側のエッジ１２ａに設けられているが、両側のエッジ１２ａ，１２ｂに設けることもでき、或いは面取りサイプ１２の延在方向に沿って部分的又は間欠的に設けることもできる。また、面取りサイプ１２は、リブ１０内で一端部１２ｃが終端する一方で他端部１２ｄがリブ１０の両側に位置する主溝９，９のいずれか一方に連通している。これらリブ１０の両側に位置する主溝９，９のそれぞれに連通した面取りサイプ１２，１２がタイヤ周方向に交互に配置され、全体として面取りサイプ１２がタイヤ周方向に千鳥状に配置されている。面取りサイプ１２に形成された面取り部１４は、図４に示すように、面取りサイプ１２の延在方向に対して直交する断面視にて三角形を成している。なお、面取りサイプ１２は、面取り部１４を除く部分の深さが１ｍｍ以上の深さを有する。
【００２７】
非面取りサイプ１３は、面取りサイプ１２を中心としてタイヤ周方向に５０ｍｍ以内の領域に設けられ、かつ面取り部が設けられていないサイプである。この非面取りサイプ１３は、面取りサイプ１２の少なくともタイヤ周方向の片側に隣接して配置されている。また、非面取りサイプ１３は、タイヤ幅方向に対して傾斜していても良く、屈曲又は湾曲していても良い。
【００２８】
リブ１０には、面取りサイプ１２及び非面取りサイプ１３以外の他の溝を設けることもできる。しかしながら、リブ１０内の排水性は面取りサイプ１２により十分に確保することができるため、接地面積を大きくして制動性能を向上させる観点では、面取りサイプ１２と非面取りサイプ１３のみを設けることが好ましい。
【００２９】
接地面積を増やすためにはトレッドゴムの硬度が小さいほうが良く、その一方で面取り部１４の潰れを抑制するためにはトレッドゴムの硬度が大きいほうが良い。これらを両立するためにトレッドゴムの硬度はＪＩＳ  Ｋ６２５３で規定される硬度が５８〜７５であることが好ましい。
【００３０】
上述した空気入りタイヤでは、複数列のリブ１０のうち少なくとも一つのリブ１０にタイヤ幅方向に延びる複数本のサイプ１１を有し、サイプ１１は少なくとも一方のエッジ１２ａ，１２ｂに面取り部１４を有する面取りサイプ１２とエッジに面取り部を有しない非面取りサイプ１３から構成されていることにより、面取り部１４を設けた面取りサイプ１２に起因して接地時の排水性を向上させることができ、ウエット性能の改善に繋がる。その一方で、面取り部を設けていない非面取りサイプ１３が面取りサイプ１２のタイヤ周方向に隣接して同じリブ１０内に併存していることにより、非面取りサイプ１３が接地時におけるトレッド部１の変形を負担し、面取りサイプ１２における面取り部１４の潰れの抑制に寄与する。
【００３１】
また、面取りサイプ１２において、その一端部１２ｃがリブ１０内で終端する一方で他端部１２ｄがリブ１０の両側に位置する主溝９のいずれか一方に連通し、該リブ１０の両側に位置する主溝９のそれぞれに連通した面取りサイプ１２がタイヤ周方向に交互に配置されていることにより、面取りサイプ１２周辺において接地領域を広く確保することができ、面取りサイプ１２の面取り部１４の潰れを効果的に抑制することが可能となる。これにより、ウエット性能を向上することができる。
【００３２】
上記空気入りタイヤにおいて、図３に示すように、面取り部１４を含む面取りサイプ１２の凹部領域と、非面取りサイプ１３のうち面取りサイプ１２に最も近接する非面取りサイプ１３の凹部領域とが最も近接する位置でのタイヤ周方向の距離を距離Ｌ１とする。この距離Ｌ１は、２ｍｍ〜１５ｍｍであることが好ましく、４ｍｍ〜１１ｍｍであることがより好ましい。このように距離Ｌ１を適度に設定することで、非面取りサイプ１３が面取りサイプ１２の面取り部１４の潰れを効果的に抑制することができる。ここで、距離Ｌ１が２ｍｍより小さいと面取りサイプ１２と非面取りサイプ１３とに挟まれる領域においてリブ１０の剛性が低下し、該領域が倒れ込むことで接地性を確保することが難しくなるため、ウエット性能が低下する傾向がある。
【００３３】
また、図３において、非面取りサイプ１３はリブ１０をタイヤ幅方向に貫通している。このように非面取りサイプ１３がリブ１０をタイヤ幅方向に貫通するオープンサイプとして構成されていることで、非面取りサイプ１３のトレッド部１の変形に対する負担量が増し、面取りサイプ１２の面取り部１４の潰れを効果的に抑制することができる。一方、非面取りサイプ１３の両端部がリブ１０内で終端するクローズドサイプ、或いは一方の端部のみがリブ１０内で終端するセミクローズドサイプとして構成することもできる。
【００３４】
図４に示すように、面取りサイプ１２と非面取りサイプ１３において、接地面からサイプの溝底までの深さをそれぞれ深さＣｄ、深さＮｄとする。このとき、面取りサイプ１２の深さＣｄと非面取りサイプ１３の深さＮｄとは１＜Ｎｄ／Ｃｄ≦１．５の関係を満たすことが好ましい。より好ましくは、１．１＜Ｎｄ／Ｃｄ≦１．４が良い。このように非面取りサイプ１３の深さＮｄを面取りサイプ１２の深さＣｄに対して適度に設定することで、面取りサイプ１２の面取り部１４の潰れを効果的に抑制することができる。
【００３５】
また、図４に示すように、面取りサイプ１２の接地面での開口部の幅を幅Ｃｗとする。この開口部の幅Ｃｗは面取りサイプ１２の延在方向に対して直交する向きに沿って測定される。このとき、開口部の幅Ｃｗは１．６ｍｍ〜４．８ｍｍとなるように構成すると良い。このように面取りサイプ１２を構成することで、接地時での排水性を確保することができる。ここで、面取りサイプ１２の接地面での開口部の幅Ｃｗが、１．６ｍｍより小さいと排水性の改善効果が小さく、４．８ｍｍより大きいと接地面積が小さくなり、ウエット路面での制動性能が低下する傾向がある。
【００３６】
図５は本発明に係る空気入りタイヤのトレッド部に形成された非面取りサイプの変形例を示すものである。図５に示すように、非面取りサイプ１３の接地面での開口部の幅を幅Ｎｗとする。この開口部の幅Ｎｗは非面取りサイプ１３の延在方向に対して直交する向きに沿って測定される。図５において、非面取りサイプ１３の幅Ｎｗは底部から開口部に向かって徐々に広くなっている。このように非面取りサイプ１３が形成されていることで、非面取りサイプ１３のトレッド部１の変形に対する負担量が増し、面取りサイプ１２の面取り部１４の潰れを効果的に負担することができる。
【００３７】
図６は本発明に係る空気入りタイヤのトレッド部に形成された面取りサイプ及び非面取りサイプの他の変形例を示すものである。図６に示すように、面取りサイプ１２と非面取りサイプ１３はタイヤ周方向に対して傾斜している。面取りサイプ１２と非面取りサイプ１３のタイヤ周方向に対する傾斜角度をそれぞれ傾斜角度θC、傾斜角度θNとする。このとき、面取りサイプ１２の傾斜角度θCと非面取りサイプ１３の傾斜角度θNとは、θC−３０°≦θN≦θC＋３０°の関係を満たすように構成されている。このように傾斜角度θC，θNを設定することで、面取りサイプ１２の面取り部１４の潰れを効果的に抑制することができる。なお、非面取りサイプ１３の傾斜角度θNは、面取りサイプ１２のタイヤ幅方向の長さと同等の範囲で特定される傾斜角度である。
【００３８】
また、図６において、非面取りサイプ１３は面取りサイプ１２のタイヤ周方向の両側に配置されている。このように非面取りサイプ１３が配置されていることで、非面取りサイプ１３のトレッド部１の変形に対する負担量が増し、面取りサイプ１２の面取り部１４の潰れを効果的に抑制することができる。
【００３９】
図７は本発明に係る空気入りタイヤのトレッド部の他の変形例を示すものである。図７において、各リブ１０には前述の実施形態と同様に面取りサイプ１２及び非面取りサイプ１３が形成されている。タイヤ子午断面視で、タイヤ中央部に位置する２本の主溝９のタイヤ幅方向両端点Ｅ１，Ｅ２，Ｅ３，Ｅ４を通る円弧Ｒを想定したとき、リブ１０の踏面を規定する外輪郭線が円弧Ｒよりもタイヤ径方向外側に突出している。即ち、トレッドプロファイルを成す円弧Ｒの曲率半径ＴＲと、面取りサイプ１２を有するリブ１０の外輪郭線の曲率半径ＲＲとはＴＲ＞ＲＲの関係を満たす。これにより、接地時におけるリブ１０の排水性を向上させ、ウエット性能を効果的に改善することができる。なお、曲率半径ＴＲと曲率半径ＲＲは、タイヤを正規リムにリム組みして正規内圧を充填した状態で測定される。
【００４０】
図８（ａ）〜（ｄ）は本発明に係る空気入りタイヤのトレッド部に形成された面取りサイプの他の変形例を示すものである。図８（ａ）に示すように、面取りサイプ１２の延在方向に対して直交する断面視において、面取りサイプ１２の片側のエッジに面取り部１４が形成され、その面取り部１４の断面形状は矩形である。このように面取り部１４の断面形状を矩形にすることで、接地時でのトレッド部１の変形に対して溝容積を十分に確保することができ、排水性を向上させることができる。その一方で、面取りサイプ１２の面取り部１４の断面形状としては、図４，図８（ａ）に示す他に、図８（ｂ）に示すようにタイヤ径方向内側に凸となる曲線の輪郭線を有する場合や、図８（ｃ）に示すようにタイヤ径方向外側に凸となる曲線の輪郭線を有する場合、図８（ｄ）に示すように三角形状を有する場合を例示することができる。
【００４１】
図９（ａ）〜（ｆ）は本発明に係る空気入りタイヤのトレッド部に形成された面取りサイプ及び非面取りサイプの他の変形例を示すものである。面取りサイプ１２及び非面取りサイプ１３の形状としては、図２、図３及び図６に示す他に、図９（ａ）に示すように非面取りサイプ１３が面取りサイプ１２とタイヤ幅方向に同等の長さを有する一方で非面取りサイプ１３の一端部がリブ１０内で終端している場合や、図９（ｂ）に示すように非面取りサイプ１３が面取りサイプ１２とタイヤ幅方向に同等の長さを有する一方でリブ１０内において一端部が終端した２本の非面取りサイプを対向するように配置している場合、図９（ｃ）に示すように非面取りサイプ１３がタイヤ幅方向に対して傾斜する一方でリブ１０をタイヤ幅方向に貫通している場合を例示することができる。また、図９（ｄ）に示すように非面取りサイプ１３が屈曲部を有する一方でリブ１０をタイヤ幅方向に貫通している場合や、図９（ｅ）に示すように非面取りサイプ１３が湾曲した形状を有する一方でリブ１０をタイヤ幅方向に貫通している場合、図９（ｆ）に示すように非面取りサイプ１３がリブ１０をタイヤ幅方向に貫通している一方で面取りサイプ１２の面取り部１４が間欠的に設けられている場合を例示することができる。
【実施例】
【００４２】
タイヤサイズ１９５／６５Ｒ１５で、トレッド部に、タイヤ周方向に延びる複数本の主溝と、該主溝により区画された複数列のリブとを備えた空気入りタイヤにおいて、面取りサイプの有無、非面取りサイプの有無、面取りサイプと非面取りサイプとの距離Ｌ１（ｍｍ）、面取りサイプの深さに対する非面取りサイプの深さの比（Ｎｄ／Ｃｄ）、面取りサイプと非面取りサイプとの傾斜角度の差（θC−θN）、非面取りサイプの配置（片側又は両側）、非面取りサイプの幅（一定又は漸増）、面取りサイプの接地面での開口部の幅Ｃｗ（ｍｍ）、面取り部の断面形状、非面取りサイプの主溝への連通の有無、リブのタイヤ径方向外側への突出の有無を表１及び表２のように設定した従来例、比較例１，２及び実施例１〜１０のタイヤを製作した。
【００４３】
これら試験タイヤについて、下記試験方法により、ウエット路面での制動性能に関する評価を実施し、その結果を表１及び表２に併せて示した。
【００４４】
ウエット路面での制動性能：
各試験タイヤをリムサイズ１５×６Ｊのホイールに組み付けて、排気量１５００ｃｃの前輪駆動車に装着し、空気圧２３０ｋＰａとして、水深２ｍｍのウエット路面において初速８０ｋｍ／ｈから完全停止までの制動距離の測定を実施した。評価結果は、測定値の逆数を用い、従来例を１００とする指数にて示した。この指数値が大きいほどウエット路面での制動性能が優れていることを意味する。
【００４５】
【表１】
2018111453.tif 000003
【００４６】
【表２】
2018111453.tif 000004
【００４７】
これら表１及び表２から判るように、トレッド部に設けたサイプの形状を工夫することで、実施例１〜１０のタイヤは、従来例との対比において、ウエット路面での制動性能が改善されていた。
【００４８】
一方、比較例１においては、リブに全くサイプを設けなかったため、ウエット路面での制動性能の改善効果を十分に得ることができなかった。比較例２においては、面取り部を設けていないサイプのみをリブに配置したため、ウエット路面での制動性能の改善効果を十分に得ることができなかった。
【符号の説明】
【００４９】
１  トレッド部
２  サイドウォール部
３  ビード部
９  主溝
１０  リブ
１１  サイプ
１２  面取りサイプ
１２ａ，１２ｂ  エッジ
１２ｃ，１２ｄ  端部
１３  非面取りサイプ
１４  面取り部
【図１】
2018111453.tif 000005
【図２】
2018111453.tif 000006
【図３】
2018111453.tif 000007
【図４】
2018111453.tif 000008
【図５】
2018111453.tif 000009
【図６】
2018111453.tif 000010
【図７】
2018111453.tif 000011
【図８】
2018111453.tif 000012
【図９】
2018111453.tif 000013